(57)【要約】【課題】ホスト計算機内の定義情報を修正することなく、監視対象の追加や変更を行うことが可能な遠隔監視システムを得る。【解決手段】遠隔地に存在する監視対象機器４０の状態を監視する遠隔監視装置３０を、ネットワーク５０を介して中央のホスト計算機１０および監視端末２０で遠隔監視する遠隔監視システムにおいて、前記ホスト計算機１０は、監視対象の点番号、アドレスからなる点番号情報を前記遠隔監視装置３０から取得し、取得した点番号情報を元にアドレスを指定して前記遠隔監視装置３０から監視データを取得する。【選択図】図１
2005293159.tif 000002
【特許請求の範囲】
【請求項１】
遠隔地に存在する監視対象機器の状態を監視する遠隔監視装置を、ネットワークを介して中央のホスト計算機および監視端末で遠隔監視する遠隔監視システムにおいて、
前記ホスト計算機は、監視対象の点番号、アドレスからなる点番号情報を、前記遠隔監視装置から取得し、取得した点番号情報を元にアドレスを指定して前記遠隔監視装置から監視データを取得する
ことを特徴とする遠隔監視システム。
【請求項２】
請求項１に記載の遠隔監視システムにおいて、
前記ホスト計算機は、各点番号毎のアドレスを指定して前記遠隔監視装置から監視データを取得する
ことを特徴とする遠隔監視システム。
【請求項３】
請求項１に記載の遠隔監視システムにおいて、
前記ホスト計算機は、アドレス範囲を指定して前記遠隔監視装置から監視データを取得する
ことを特徴とする遠隔監視システム。
【請求項４】
請求項１ないし３のいずれか１項に記載の遠隔監視システムにおいて、
前記遠隔監視装置は、監視対象の点番号情報に、各点番号について名称、単位、小数点桁数の付属情報を定義しておき、
前記ホスト計算機および前記監視端末は、点番号情報に定義された付属情報を用いて監視画面を表示する
ことを特徴とする遠隔監視システム。
【請求項５】
請求項１ないし４のいずれか１項に記載の遠隔監視システムにおいて、
前記監視端末は、遠隔監視装置の点番号情報の変更時に、前記ホスト計算機に点番号情報の更新を要求し、
前記ホスト計算機は、点番号情報の更新を要求に基づいて前記遠隔監視装置から点番号情報を取得することで、前記ホスト計算機および前記監視端末の点番号情報に反映する
ことを特徴とする遠隔監視システム。
【請求項６】
請求項１ないし５のいずれか１項に記載の遠隔監視システムにおいて、
前記ホスト計算機は、前記遠隔監視装置内の点番号情報が変更されているかを検査し、変更されている場合には、再度点番号情報を取得し、前記ホスト計算機および前記監視端末の点番号情報に反映する
ことを特徴とする遠隔監視システム。
【発明の詳細な説明】
【技術分野】
【０００１】
この発明は、中央のホスト計算機と遠隔地の監視装置との間でデータ送受信して、遠隔地に存在するプラント機器を監視制御する遠隔監視システムに関するものである。
【背景技術】
【０００２】
従来の遠隔監視システムにおいて、ホスト計算機は、遠隔地に存在する監視対象機器に接続し機器の状態を監視する遠隔監視装置から一般公衆回線網などのネットワークを介して監視データを取得して、監視データ記憶部に格納し、監視端末は、監視データ記憶部の情報からＣＲＴに監視画面を表示するようになされている。
【０００３】
また、ホスト計算機は、点番号情報記憶部から監視対象の点番号を取得し、通信定義情報記憶部から各点番号に対応した監視値格納アドレスを取得して、遠隔監視装置に対して、監視データ取得要求を行い、遠隔監視装置は、要求されたアドレスに格納された値を監視データとしてホスト計算機に返送するようになされている（例えば、特許文献１参照）。
【０００４】
【特許文献１】特開２００３-９９１２１号公報
【発明の開示】
【発明が解決しようとする課題】
【０００５】
しかしながら、上述した従来の遠隔監視システムにおいては、監視対象の点番号情報および通信定義情報を、ホスト計算機内に予め定義しておかなければならず、監視対象の追加や変更のたびに、点番号情報および通信定義情報を修正する必要があった。また、定義情報の修正後に、通信試験をやり直す必要があるなどの問題点があった。
【０００６】
この発明は上記のような課題を解決するためになされたものであり、監視対象の点番号情報およびアドレス情報を遠隔監視装置から取得することによって、ホスト計算機内の定義情報を修正することなく、監視対象の追加や変更を行うことが可能な遠隔監視システムを得ることを目的とする。
【課題を解決するための手段】
【０００７】
この発明に係る遠隔監視システムは、遠隔地に存在する監視対象機器の状態を監視する遠隔監視装置を、ネットワークを介して中央のホスト計算機および監視端末で遠隔監視する遠隔監視システムにおいて、前記ホスト計算機は、監視対象の点番号、アドレスからなる点番号情報を前記遠隔監視装置から取得し、取得した点番号情報を元にアドレスを指定して前記遠隔監視装置から監視データを取得することを特徴とする。
【発明の効果】
【０００８】
この発明によれば、ホスト計算機は、点番号情報を遠隔監視装置から取得し、その情報を元にアドレスを指定することで監視データを取得することにより、ホスト計算機に予め通信定義情報を定義しておく必要がなく、監視対象の追加や変更に容易に対応できる。
【発明を実施するための最良の形態】
【０００９】
実施の形態１．
図１は、この発明の実施の形態１に係る遠隔監視システムの概略構成を示すブロック図である。図１に示すように、実施の形態１に係る遠隔監視システムは、遠隔地に存在する監視対象機器４０から監視値を取り込むなどの処理を行う遠隔監視装置３０と、中央に存在し、監視データを収集蓄積するホスト計算機１０と、監視画面をＣＲＴ上に表示し操作員との対話処理を行う監視端末２０とからなり、遠隔地と中央は、一般公衆回線網に代表されるネットワーク５０で接続している。
【００１０】
ここで、ホスト計算機１０には、点番号情報、通信定義情報および監視データを記憶する点番号情報記憶部１１、通信定義情報記憶部１２および監視データ記憶部１３が備えられている。また、監視端末２０には、点番号情報を記憶する点番号情報記憶部２１が備えられている。同様に、遠隔監視装置３０には、点番号情報を記憶する点番号情報記憶部３１が備えられている。
【００１１】
図２は、図１に示すホスト計算機１０における内部構成要素を示すブロック図である。図２に示すように、ホスト計算機１０は、遠隔監視装置３０から点番号情報３１を取得し、点番号情報記憶部１１および通信定義情報記憶部１２に保存する点番号情報取得部１１２と、点番号情報および通信定義情報を元に、遠隔監視装置３０から監視データを取得し、監視データ記憶部１３に保存する通信処理部１１１を備えている。
【００１２】
また、図３は、図１に示す遠隔監視装置３０に備えられた点番号情報記憶部３１に格納される点番号情報の構造を示す図である。図３に示すように、点番号情報記憶部３１には、監視対象の点番号（Ｎｏ）毎に、ＰＩＤと、点番号の定義順とは関連なく割り振られた監視値格納アドレスとが定義されており、この点番号情報は、遠隔監視装置の監視プログラム作成時に作成される。
【００１３】
次に動作について説明する。ホスト計算機１０の点番号情報取得部１１２は、ネットワーク５０を介して、遠隔監視装置３０から点番号情報３１を取得し、ホスト計算機１０内の点番号情報記憶部１１および通信定義情報記憶部１２に、それぞれ図４および図５の構造で保存する。すなわち、点番号情報記憶部１１には、図４に示すように、監視対象の点番号（Ｎｏ）毎に、ＰＩＤと、名称と、単位および小数点桁数とを格納する。また、通信定義情報記憶部１２には、図５に示すように、監視対象の点番号（Ｎｏ）毎にアドレスを格納する。
【００１４】
次に、ホスト計算機１０の通信処理部１１１は、通信定義情報記憶部１２内の情報を読み込み、監視対象の点番号のアドレスを順に並べた監視データ要求メッセージを、遠隔監視装置３０に送信する。遠隔監視装置３０は、監視データ要求メッセージに指定されたアドレス順に、監視値を通信処理部１１１に返送する。通信処理部１１１は、返送された監視値を、監視データ記憶部１３に保存する。
【００１５】
以上述べたように、実施の形態１によれば、監視値格納アドレスを遠隔監視装置３０から取得し、その情報を元に監視値を取得することにより、ホスト計算機１０に予め通信定義情報を定義しておく必要がなく、監視対象の追加、変更が発生した場合でも、ホスト計算機１０の通信定義情報を手作業で修正する必要がなくなる。
【００１６】
さらに、ホスト計算機１０の通信定義情報を手作業で修正しないため、設定誤りが無くなり、通信試験をやり直す必要が無くなる。
【００１７】
実施の形態２．
図６は、この発明の実施の形態２に係る遠隔監視システムの通信処理部１１１の処理内容を示すフローチャートである。なお、遠隔監視システムおよびホスト計算機１０の構成は、図１および図２に示す実施の形態１と同一であり、その説明を省略する。
【００１８】
本実施の形態２において、通信処理部１１１は、図６に示すフローチャートに従って動作する。すなわち、通信処理部１１１は、ステップＳ６１で通信定義情報記憶部１２内の通信定義情報を読み込み、ステップＳ６２で読み込んだ通信定義情報をアドレスをキーに昇順に並べ替える。次に、ステップＳ６３で並び替えたアドレスのうち最小値と最大値から、図７に示すように、要求元計算機名などの通信ヘッダ情報と開始アドレスおよび終了アドレスでなる構造の監視データ要求メッセージを作成し、ステップＳ６４で遠隔監視装置３０に監視データ要求メッセージを送信する。
【００１９】
遠隔監視装置３０では、監視データ要求メッセージに指定された開始アドレスから終了アドレスに格納されている値を通信処理部１１１に返送する。次に、通信処理部１１１は、ステップＳ６５で監視値を受信し、ステップＳ６６で受信した監視値を、ステップＳ６２の処理とは逆に、ＰＩＤ順に並び替え、監視データ記憶部１３に保存する。
【００２０】
従って、実施の形態２によれば、監視データ要求メッセージに、取得する監視値の開始アドレスおよび終了アドレスでなるアドレス範囲を指定することで、各点番号毎のアドレスを指定する必要がなくなり、通信量を削減することができる。
【００２１】
実施の形態３．
図８は、この発明の実施の形態３に係る遠隔監視システムにおける遠隔監視装置３０の点番号情報記憶部３１に格納される点番号情報の構造を示す図である。なお、遠隔監視システムおよびホスト計算機１０の構成は、図１および図２に示す実施の形態１と同一であり、その説明を省略する。
【００２２】
本実施の形態３において、点番号情報記憶部３１には、図８に示すように、監視対象の点番号（Ｎｏ）毎に、ＰＩＤと、点番号の定義順とは関連なく割り振られた監視値格納アドレスの他に、名称、単位、小数点桁数といった付属情報が格納される。これらの付属情報は、遠隔監視装置３０の監視プログラム作成時に併せて定義する。
【００２３】
そして、本実施の形態３によるホスト計算機１０内の点番号情報取得部１１２は、遠隔監視装置３０から点番号情報を取得し、各点番号毎の監視値格納アドレスを通信定義情報記憶部１２に、各点番号毎のＰＩＤとともに名称、単位、小数点桁数などの付属情報を、点番号情報記憶部１１にそれぞれ保存する。
【００２４】
次に、監視端末２０は、ホスト計算機１０から点番号情報記憶部１１内に保存された点番号情報を取得し、監視端末２０内の点番号情報記憶部２１に保存する。さらに、監視端末２０は、点番号情報記憶部２１に保存された点番号の付属情報を付加した監視用画面をＣＲＴ上に表示する。
【００２５】
従って、実施の形態３によれば、遠隔監視装置３０のプログラム作成時に、監視対象の名称などの付属情報を定義しておくことで、ホスト計算機１０や監視端末２０で改めて監視対象の付属情報を定義することなく、監視画面を表示することができるため、監視対象の追加、変更時に発生する作業量を削減することができる。
【００２６】
実施の形態４．
図９は、この発明の実施の形態４に係る遠隔監視システムにおけるホスト計算機１０および監視端末２０の構成要素を示すブロック図である。なお、遠隔監視システムの概略構成は、図１と同一である。
【００２７】
本実施の形態４において、ホスト計算機１０は、図９に示すように、遠隔監視装置３０から点番号情報を取得し、点番号情報記憶部１１および通信定義情報記憶部１２に保存する点番号情報取得部１１２と、点番号情報記憶部１１および通信定義情報記憶部１２の点番号情報および通信定義情報を元に、遠隔監視装置３０から監視データを取得し、監視データ記憶部１３に保存する通信処理部１１１と、監視端末２０から各種要求を処理する端末要求処理部１１３を備えている。
【００２８】
また、監視端末２０は、図９に示すように、点番号情報記憶部２１と、点番号情報更新要求対話処理部２１１を備えている。
【００２９】
次に動作について説明する。監視対象の追加、変更を行い、遠隔監視装置３０の点番号情報が変更された場合、操作員は監視端末２０のＣＲＴを通じて点番号情報更新要求対話処理部２１１に対して、点番号情報の更新を指示する。
【００３０】
次に、点番号情報更新要求処理部２１１は、ホスト計算機１０の端末要求処理部１１３に対して、点番号情報の更新を要求する。
【００３１】
次に、端末要求処理部１１３は、点番号情報取得部１１２に対して、遠隔監視装置３０から点番号情報を取得するように要求する。以降の動作は、実施の形態３と同様である。
【００３２】
従って、実施の形態４によれば、監視端末２０から指示することで、ホスト計算機１０および監視端末２０上の点番号情報を、最新の状態に更新することができ、監視対象の追加、変更時の作業を簡略化することができる。
【００３３】
実施の形態５．
図１０は、この発明の実施の形態５に係る遠隔監視システムにおけるホスト計算機１０の構成要素である通信処理部１１１と点番号情報取得部１１２の処理内容を示すフローチャートである。なお、遠隔監視システムの概略構成は図１と同一である。
【００３４】
本実施の形態５において、ホスト計算機１０の通信処理部１１１は、図１０に示すように、ステップＳ１０１で点番号情報取得部１１２を起動する。次に、点番号取得部１１２は、ステップＳ１１１でホスト計算機１０の通信定義情報記憶部１２の更新日付を取得し、ステップＳ１１２で遠隔監視装置３０の点番号情報記憶部３１の点番号情報更新日付を取得し、ステップＳ１１３でそれぞれの更新日付を比較し、遠隔監視装置３０の点番号情報記憶部３１の点番号情報が変更されているかどうかを判定する。点番号情報が変更されていれば、ステップＳ１１４で遠隔監視装置３０から点番号情報を取得し、ホスト計算機１０の点番号情報記憶部１１と通信定義情報記憶部１２を更新する。点番号情報取得処理部１１２の処理が終了すると、通信処理部１１１は、ステップＳ１０２からステップＳ１０５で監視データを取得し、監視データ記憶部１３に保存する。
【００３５】
従って、実施の形態５によれば、遠隔監視装置３０の点番号情報とホスト計算機１０の通信定義情報の日付を比較し、遠隔監視装置３０の点番号情報が変更されていれば、ホスト計算機１０の通信定義情報を更新することで、監視対象の追加、変更時にも、ホスト計算機１０および監視端末２０の定義情報が自動的に更新され、ホスト計算機１０および監視端末２０の修正作業を省略することが可能となる。
【図面の簡単な説明】
【００３６】
【図１】この発明の実施の形態１に係る遠隔監視システムの概略構成を示すブロック図である。
【図２】図１に示すホスト計算機１０における内部構成要素を示すブロック図である。
【図３】図１に示す遠隔監視装置３０に備えられた点番号情報記憶部３１に格納される点番号情報の構造を示す図である。
【図４】この発明の実施の形態１に係る遠隔監視システムにおけるホスト計算機１０の点番号情報記憶部１１に格納される点番号情報の構造を示す図である。
【図５】この発明の実施の形態１に係る遠隔監視システムにおけるホスト計算機１０の通信定義情報記憶部１２に格納される通信定義情報の構造を示す図である。
【図６】この発明の実施の形態２に係る遠隔監視システムの通信処理部１１１の処理内容を示すフローチャートである。
【図７】この発明の実施の形態２に係る遠隔監視システムにおけるホスト計算機１０から遠隔監視装置３０に対する監視データ要求メッセージの構造を示す図である。
【図８】この発明の実施の形態３に係る遠隔監視システムにおける遠隔監視装置の点番号情報記憶部３１に格納される点番号情報の構造を示す図である。
【図９】この発明の実施の形態４に係る遠隔監視システムにおけるホスト計算機および監視端末の構成要素を示すブロック図である。
【図１０】図１０は、この発明の実施の形態５に係る遠隔監視システムにおけるホスト計算機１０の構成要素である通信処理部１１１と点番号情報取得部１１２の処理内容を示すフローチャートである。
【符号の説明】
【００３７】
１０  ホスト計算機、１１  点番号情報記憶部、１２  通信定義情報記憶部、１３  監視データ記憶部、２０  監視端末、２１  点番号情報記憶部、３０  遠隔監視装置、３１  点番号情報記憶部、４０  監視対象機器、５０  ネットワーク、１１１  通信処理部、１１２  点番号情報取得部、１１３  端末要求処理部、２１１  点番号情報更新要求対話処理部。
【図１】
2005293159.tif 000003
【図２】
2005293159.tif 000004
【図３】
2005293159.tif 000005
【図４】
2005293159.tif 000006
【図５】
2005293159.tif 000007
【図６】
2005293159.tif 000008
【図７】
2005293159.tif 000009
【図８】
2005293159.tif 000010
【図９】
2005293159.tif 000011
【図１０】
2005293159.tif 000012